(57)【要約】【課題】セキュリティ性が高く、利用者の利便性の向上を図ること。【解決手段】サービスを提供する管理サーバと、サービスの提供を受ける招待者端末と、サービスに参加を希望する参加者端末と、を備え、招待者端末が、参加者端末からの通信アクセスに応じて当該参加者端末に招待者端末を識別する識別情報を送信する招待者識別情報送信手段を備え、参加者端末が、受信した識別情報を管理サーバに対して送信してサービスへの参加要求を行う参加要求手段を備え、管理サーバが、サービスに登録しているユーザ端末の識別情報及びユーザ端末の招待権限の有無を表す招待権限情報を記憶するユーザ情報記憶手段と、参加者端末からの参加要求に応じて送信された招待者端末の識別情報がユーザ情報記憶手段内の情報に基づいて招待権限を有するユーザ端末のものであると判断した場合に参加者端末をサービスに参加許可する参加判断手段と、を備えた。【選択図】図１
2009037435.tif 000002
【特許請求の範囲】
【請求項１】
ユーザ端末を登録して所定のサービスを提供する管理サーバと、当該管理サーバに登録され前記所定のサービスの提供を受ける招待者端末と、前記所定のサービスに参加を希望する参加者端末と、を備えたサービス参加システムであって、
前記招待者端末が、前記参加者端末からの通信アクセスに応じて当該参加者端末に招待者端末を識別する識別情報を送信する招待者識別情報送信手段を備えると共に、
前記参加者端末が、前記招待者端末から受信した前記識別情報を前記管理サーバに対して送信して前記所定のサービスへの参加要求を行う参加要求手段を備え、
前記管理サーバが、前記所定のサービスに対して登録しているユーザ端末の識別情報及び当該ユーザ端末の招待権限の有無を表す招待権限情報を記憶するユーザ情報記憶手段と、前記参加者端末からの所定のサービスへの参加要求に応じて送信された招待者端末の前記識別情報が前記ユーザ情報記憶手段内の情報に基づいて招待権限を有するユーザ端末のものであると判断した場合に前記参加者端末を前記所定のサービスに参加許可する参加判断手段と、を備えた、
ことを特徴とするサービス参加システム。
【請求項２】
前記招待者端末は、招待権限を有するか否かを表す招待権限情報を記憶すると共に、
前記招待者端末の招待者識別情報送信手段は、前記招待権限情報に基づいて招待権限を有すると判断した場合に作動可能である、
ことを特徴とする請求項１記載のサービス参加システム。
【請求項３】
前記招待者端末の招待者識別情報送信手段は、近距離無線通信にて前記参加者端末に前記識別情報を送信する、
ことを特徴とする請求項１又は２記載のサービス参加システム。
【請求項４】
前記招待者端末は、前記参加者端末に対して招待権限を付与する機能を有する、
ことを特徴とする請求項１，２又は３記載のサービス参加システム。
【請求項５】
前記招待者端末は、前記管理サーバに前記参加者端末に対する招待権限付与を要求する招待権限付与要求手段を備え、
前記管理サーバは、前記招待者端末からの招待権限付与要求に応じて前記参加者端末に招待権限を付与するよう前記ユーザ情報記憶手段内の情報を更新する招待権限付与手段を備えた、
ことを特徴とする請求項４記載のサービス参加システム。
【請求項６】
前記管理サーバの招待権限付与手段は、前記参加者端末に対して招待権限を付与する旨を通知し、
前記参加者端末は、前記管理サーバからの付与通知に応じて招待権限を有する旨を表す招待権限情報を端末内に記憶する招待権限情報記憶手段を備えた、
ことを特徴とする請求項５記載のサービス参加システム。
【請求項７】
所定のサービスを提供する管理サーバに登録されることで、当該所定のサービスを受けることが可能なユーザ端末であって、
前記管理サーバに登録されている場合に、他のユーザ端末からの通信アクセスに応じて当該他のユーザ端末に自端末を識別する識別情報を送信する招待者識別情報送信手段と、
前記管理サーバに登録されていない場合に、当該管理サーバに登録されている別のユーザ端末にアクセスして当該別のユーザ端末の識別情報を取得し、この識別情報を前記管理サーバに対して送信して前記所定のサービスへの参加要求を行う参加要求手段と、を備え、
前記管理サーバに対して参加要求を行ったユーザ端末は、前記管理サーバに送信した識別情報が当該管理サーバにて招待権限を有するユーザ端末のものであると判断された場合に所定のサービスへの参加が可能となる、
ことを特徴とするユーザ端末。
【請求項８】
招待権限を有するか否かを表す招待権限情報を記憶すると共に、
前記招待者識別情報送信手段は、端末内に記憶している前記招待権限情報に基づいて招待権限を有すると判断した場合に作動可能である、
ことを特徴とする請求項７記載のユーザ端末。
【請求項９】
別のユーザ端末に対して招待権限を付与する機能を備えた、
ことを特徴とする請求項７又は８記載のユーザ端末。
【請求項１０】
所定のサービスを提供する管理サーバに登録されることで、当該所定のサービスを受けることが可能なユーザ端末に、
前記管理サーバに登録されている場合に、他のユーザ端末からの通信アクセスに応じて当該他のユーザ端末に自端末を識別する識別情報を送信する招待者識別情報送信手段と、
前記管理サーバに登録されていない場合に、当該管理サーバに登録されている別のユーザ端末にアクセスして当該別のユーザ端末の識別情報を取得し、この識別情報を前記管理サーバに対して送信して前記所定のサービスへの参加要求を行う参加要求手段と、を実現させるためのプログラムであり、
前記管理サーバに対して参加要求を行ったユーザ端末は、前記管理サーバに送信した識別情報が当該管理サーバにて招待権限を有するユーザ端末のものであると判断された場合に所定のサービスへの参加が可能となる、
ことを特徴とするプログラム。
【請求項１１】
前記招待者識別情報送信手段は、前記ユーザ端末が記憶している招待権限を有するか否かを表す招待権限情報に基づいて招待権限を有すると判断した場合に作動可能である、
ことを特徴とする請求項１０記載のプログラム。
【請求項１２】
前記ユーザ端末に、別のユーザ端末に対して招待権限を付与する機能をさらに実現させるための請求項１０又は１１記載のプログラム。
【請求項１３】
ユーザ端末を登録して所定のサービスを提供する管理サーバであって、
前記所定のサービスに対して登録しているユーザ端末の識別情報及び当該ユーザ端末の招待権限の有無を表す招待権限情報を記憶するユーザ情報記憶手段と、
管理サーバに登録されているユーザ端末から当該ユーザ端末の識別情報を取得した他のユーザ端末から、当該識別情報の送信と共に所定のサービスへの参加要求を受け付け、この参加要求に応じて送信された前記識別情報が前記ユーザ情報記憶手段内の情報に基づいて招待権限を有するユーザ端末のものであると判断された場合に、前記他のユーザ端末に対して所定のサービスへの参加を許可する参加判断手段と、
を備えたことを特徴とする管理サーバ。
【請求項１４】
招待権限を有するユーザ端末から他のユーザ端末への招待権限付与要求を受け付けて、当該他のユーザ端末に招待権限を付与するよう前記ユーザ情報記憶手段内の情報を更新する招待権限付与手段を備えた、
ことを特徴とする請求項１３記載の管理サーバ。
【請求項１５】
ユーザ端末を登録して所定のサービスを提供するサービス提供手段と、前記所定のサービスに対して登録しているユーザ端末の識別情報及び当該ユーザ端末の招待権限の有無を表す招待権限情報を記憶するユーザ情報記憶手段と、を備えた管理サーバに、
管理サーバに登録されているユーザ端末から当該ユーザ端末の識別情報を取得した他のユーザ端末から、当該識別情報の送信と共に所定のサービスへの参加要求を受け付け、この参加要求に応じて送信された前記識別情報が前記ユーザ情報記憶手段内の情報に基づいて招待権限を有するユーザ端末のものであると判断された場合に、前記他のユーザ端末に対して所定のサービスへの参加を許可する参加判断手段、を実現させるためのプログラム。
【請求項１６】
前記管理サーバに、招待権限を有するユーザ端末から他のユーザ端末への招待権限付与要求を受け付けて、当該他のユーザ端末に招待権限を付与するよう前記ユーザ情報記憶手段内の情報を更新する招待権限付与手段、をさらに実現させるための請求項１５記載のプログラム。
【請求項１７】
ユーザ端末を登録して所定のサービスを提供する管理サーバと、当該管理サーバに登録され前記所定のサービスの提供を受ける招待者端末と、前記所定のサービスに参加を希望する参加者端末と、を備え、前記参加者端末を前記所定のサービスに参加させるサービス参加方法であって、
前記招待者端末が、前記参加者端末からの通信アクセスに応じて招待者端末を識別する識別情報を前記前記参加者端末に送信する招待工程と、
前記参加者端末が、前記招待者端末から受信した前記識別情報を前記管理サーバに対して送信して前記所定のサービスへの参加要求を行う参加要求工程と、
前記管理サーバが、予め記憶した前記所定のサービスに対して登録しているユーザ端末の識別情報及び当該ユーザ端末の招待権限の有無を表す招待権限情報に基づいて、前記参加者端末からの所定のサービスへの参加要求に応じて送信された招待者端末の前記識別情報が招待権限を有するユーザ端末のものであると判断した場合に、前記参加者端末の所定のサービスへの参加を許可するサービス参加工程と、
を有することを特徴とするサービス参加方法。
【請求項１８】
前記招待工程は、前記招待者端末が記憶している招待権限を有するか否かを表す招待権限情報に基づいて招待権限を有すると判断された場合に作動する、
ことを特徴とする請求項１７記載のサービス参加方法。
【請求項１９】
前記サービス参加工程の後に、招待者端末が前記管理サーバに対して前記参加者端末に対する招待権限付与を要求する招待権限付与要求工程と、前記管理サーバが前記招待者端末からの招待権限付与要求に応じて前記参加者端末に招待権限を付与するよう前記ユーザ情報記憶手段内の情報を更新する招待権限付与工程と、を有することを特徴とする請求項１７又は１８記載のサービス参加方法。
【発明の詳細な説明】
【技術分野】
【０００１】
本発明は、サービス参加システムにかかり、特に、他人から招待を受けて所定のサービスに参加するサービス参加システムに関する。
【背景技術】
【０００２】
近年、パーソナルコンピュータの普及や通信ネットワーク技術の発達により、インターネット経由のコミュニケーションサービスが一般化してきている。つまり、インターネット等のネットワークを経由して、パーソナルコンピュータを用いて所定のサービスに参加し、これによってユーザ同士がコミュニケーションを取る、ということが行われている。そして、このようなサービスは、携帯電話などの携帯端末上でも利用可能となっている。さらには、会員専用のサービスとして、所定の条件をクリアしたユーザにのみアクセス可能なものがある。例えば、既存ユーザが別のユーザにサービスを招待する仕組みを備えているものも存在する。
【０００３】
【特許文献１】特開２００３−２１６８５５号公報
【発明の開示】
【発明が解決しようとする課題】
【０００４】
ところが、会員制・招待制のコミュニティやサービスでは、ユーザの識別や新規会員の招待に電子メールなどを利用していたため、利用者が実在しない架空名義による登録が存在したり、本来は招待側と招待される側に面識がなければ招待できないはずのコミュニティに無関係の人物を招待できたり、発行された招待情報が流用されたりといった問題があった。また、新規会員の招待時に、招待する側と招待される側との双方が情報管理サーバと通信を行い、情報管理サーバから電子メールを発行する必要などがあったため、処理が複雑になってしまうといった問題があった。
【０００５】
また、特許文献１には、紹介者の識別情報を用いた紹介システムが開示されている。このシステムは、まず、ウェブサーバとしての機能を持たせた紹介者端末に閲覧者端末をアクセスさせ、紹介者端末から閲覧者端末にウェブページのソースコードを送信する。そして、閲覧者端末が閲覧したウェブページを介して入会用システムにアクセスすると、アクセスアドレスに含まれる紹介者識別情報がシステムに送信される。これにより、システムは、閲覧者の入会がどの紹介者による紹介であるかを認識することができる。しかしながら、上記特許文献１に開示の技術を利用したとしても、紹介者がむやみに他の者をサービスに招待することになると、参加に値しない者の参加が可能となったり、発行された招待情報が流用される、などの問題が生じうる。
【０００６】
このため、本発明では、上記不都合を改善し、特に、セキュリティ性が高く、利用者の利便性の向上を図ることができるサービス参加システムを提供することをその目的とする。
【課題を解決するための手段】
【０００７】
そこで、本発明は、ユーザ端末を登録して所定のサービスを提供する管理サーバと、当該管理サーバに登録され所定のサービスの提供を受ける招待者端末と、所定のサービスに参加を希望する参加者端末と、を備えたサービス参加システムであって、
招待者端末が、参加者端末からの通信アクセスに応じて当該参加者端末に招待者端末を識別する識別情報を送信する招待者識別情報送信手段を備えると共に、
参加者端末が、招待者端末から受信した識別情報を管理サーバに対して送信して所定のサービスへの参加要求を行う参加要求手段を備え、
管理サーバが、所定のサービスに対して登録しているユーザ端末の識別情報及び当該ユーザ端末の招待権限の有無を表す招待権限情報を記憶するユーザ情報記憶手段と、参加者端末からの所定のサービスへの参加要求に応じて送信された招待者端末の識別情報がユーザ情報記憶手段内の情報に基づいて招待権限を有するユーザ端末のものであると判断した場合に参加者端末を所定のサービスに参加許可する参加判断手段と、を備えた、
という構成を採っている。
【発明の効果】
【０００８】
本発明は、上記構成により、招待権限を有する招待者端末から招待された参加者端末のみがサービスに参加することができるため、いたずらに参加者が増加することを抑制し、サービス参加者の質が高まり、セキュリティ性の向上を図ることができる。また、招待者は自己の端末を利用して参加者に対して識別情報を送信し、参加者は受信した識別情報を管理サーバに送信して参加要求すればよいため、操作が容易であり、利用者の利便性の向上を図ることができる、という従来にない優れた効果を有する。
【発明を実施するための最良の形態】
【０００９】
本発明は、携帯端末といったユーザ端末を介してユーザが利用する会員制・招待制のコミュニティやサービスに参加するシステムを提供するものである。例えば、サービスに参加している既存ユーザが新規ユーザを招待する際、ユーザらが持つ携帯端末上にあらかじめ用意したアプリケーションにて、携帯端末同士が通信して、招待権限を有する既存ユーザが自己の識別情報を新規ユーザに送信して招待し、これを管理サーバに送信することで、新規ユーザがサービスに参加する。これにより、セキュアに新規会員を招待し、新規参加処理を行うことができる。
【００１０】
なお、本発明は、会員制・招待制のサービス・システムやコミュニティ、小売業、サービス業、ネットワークサービス業、クーポンやチケットの配信・配布、広告効果測定や広告代行手数料（アフィリエイトフィー）支払いシステムといった用途にも適用可能である。
【００１１】
そして、本発明の一形態であるサービス参加システムは、
ユーザ端末を登録して所定のサービスを提供する管理サーバと、当該管理サーバに登録され所定のサービスの提供を受ける招待者端末と、所定のサービスに参加を希望する参加者端末と、を備えたサービス参加システムであって、
招待者端末が、参加者端末からの通信アクセスに応じて当該参加者端末に招待者端末を識別する識別情報を送信する招待者識別情報送信手段を備えると共に、
参加者端末が、招待者端末から受信した識別情報を管理サーバに対して送信して所定のサービスへの参加要求を行う参加要求手段を備え、
管理サーバが、所定のサービスに対して登録しているユーザ端末の識別情報及び当該ユーザ端末の招待権限の有無を表す招待権限情報を記憶するユーザ情報記憶手段と、参加者端末からの所定のサービスへの参加要求に応じて送信された招待者端末の識別情報がユーザ情報記憶手段内の情報に基づいて招待権限を有するユーザ端末のものであると判断した場合に参加者端末を所定のサービスに参加許可する参加判断手段と、を備えた、という構成を採っている。
【００１２】
上記発明によると、まず、管理サーバには、招待者端末が所定のサービスの提供を受けることが可能なよう、招待者端末の識別情報と招待権限が有ることを表す招待権限情報とが記憶されている。その後、招待者端末が参加者端末をサービスに招待する際には、これら端末間で通信が行われ、招待者端末の識別情報が参加者端末に送信される。そして、参加者端末は、招待者端末から受信した識別情報を管理サーバに送信して、サービスへの参加を要求する。すると、管理サーバは、参加者端末から送信された識別情報に対応するユーザ端末が登録されており、招待権限を有するか否かを判定し、招待権限を有している場合には、参加者端末のサービスへの参加を許可する。これにより、参加者端末は正当に招待権限を有する招待者端末から招待された場合のみサービスに参加することができるため、不必要な参加者の参加を抑制し、サービス参加者の質が高まり、セキュリティ性の向上を図ることができる。また、招待者は自己の端末を利用して参加者に対して識別情報を送信し、参加者は受信した識別情報を管理サーバに送信して参加要求すればよいため、操作が容易であり、利用者の利便性の向上を図ることができる。
【００１３】
また、本発明では、招待者端末は、招待権限を有するか否かを表す招待権限情報を記憶すると共に、招待者端末の招待者識別情報送信手段は、招待権限情報に基づいて招待権限を有すると判断した場合に作動可能である、という構成を採る。これにより、招待権限を有する招待者端末のみが他のユーザの招待処理を実行することが可能となる。従って、さらに不必要な招待を抑制でき、セキュリティ性の向上を図ることができる。
【００１４】
また、本発明では、招待者端末の招待者識別情報送信手段は、近距離無線通信にて参加者端末に識別情報を送信する、という構成を採る。これにより、招待者端末は参加者端末に対して、直接、近距離無線通信にて識別情報を送信するため、さらに不必要な招待を抑制でき、セキュリティ性の向上を図ることができる。
【００１５】
また、本発明では、招待者端末は、参加者端末に対して招待権限を付与する機能を有する、という構成を採る。例えば、招待者端末は、管理サーバに参加者端末に対する招待権限付与を要求する招待権限付与要求手段を備え、管理サーバは、招待者端末からの招待権限付与要求に応じて参加者端末に招待権限を付与するようユーザ情報記憶手段内の情報を更新する招待権限付与手段を備えた、という構成を採る。さらに、管理サーバの招待権限付与手段は、参加者端末に対して招待権限を付与する旨を通知し、参加者端末は、管理サーバからの付与通知に応じて招待権限を有する旨を表す招待権限情報を端末内に記憶する招待権限情報記憶手段を備えた、という構成を採る。
【００１６】
これにより、招待権限を有する招待者端末が、管理サーバなどを介してサービスに参加させた参加者端末に対して招待権限を付与する要求を行うことで、当該参加者端末に招待権限が付与される。これにより、招待権限を付与された参加者端末が、さらに他のユーザをサービスに招待することが可能となる。
【００１７】
また、本発明の他の形態は、所定のサービスを提供する管理サーバに登録されることで、当該所定のサービスを受けることが可能なユーザ端末であって、管理サーバに登録されている場合に、他のユーザ端末からの通信アクセスに応じて当該他のユーザ端末に自端末を識別する識別情報を送信する招待者識別情報送信手段と、管理サーバに登録されていない場合に、当該管理サーバに登録されている別のユーザ端末にアクセスして当該別のユーザ端末の識別情報を取得し、この識別情報を管理サーバに対して送信して所定のサービスへの参加要求を行う参加要求手段と、を備え、管理サーバに対して参加要求を行ったユーザ端末は、管理サーバに送信した識別情報が当該管理サーバにて招待権限を有するユーザ端末のものであると判断された場合に所定のサービスへの参加が可能となる、という構成を採っている。
【００１８】
そして、本発明では、招待権限を有するか否かを表す招待権限情報を記憶すると共に、招待者識別情報送信手段は、端末内に記憶している招待権限情報に基づいて招待権限を有すると判断した場合に作動可能である、という構成を採る。また、本発明では、別のユーザ端末に対して招待権限を付与する機能を備えた、という構成を採る。
【００１９】
また、本発明の他の形態であるプログラムは、所定のサービスを提供する管理サーバに登録されることで、当該所定のサービスを受けることが可能なユーザ端末に、管理サーバに登録されている場合に、他のユーザ端末からの通信アクセスに応じて当該他のユーザ端末に自端末を識別する識別情報を送信する招待者識別情報送信手段と、管理サーバに登録されていない場合に、当該管理サーバに登録されている別のユーザ端末にアクセスして当該別のユーザ端末の識別情報を取得し、この識別情報を管理サーバに対して送信して所定のサービスへの参加要求を行う参加要求手段と、を実現させるためのプログラムであり、管理サーバに対して参加要求を行ったユーザ端末は、管理サーバに送信した識別情報が当該管理サーバにて招待権限を有するユーザ端末のものであると判断された場合に所定のサービスへの参加が可能となる、という構成を採っている。
【００２０】
そして、本発明では、上記招待者識別情報送信手段は、ユーザ端末が記憶している招待権限を有するか否かを表す招待権限情報に基づいて招待権限を有すると判断した場合に作動可能である、という構成を採っている。また、ユーザ端末に、別のユーザ端末に対して招待権限を付与する機能をさらに実現させる、という構成を採る。
【００２１】
また、本発明の他の形態は、ユーザ端末を登録して所定のサービスを提供する管理サーバであって、所定のサービスに対して登録しているユーザ端末の識別情報及び当該ユーザ端末の招待権限の有無を表す招待権限情報を記憶するユーザ情報記憶手段と、管理サーバに登録されているユーザ端末から当該ユーザ端末の識別情報を取得した他のユーザ端末から、当該識別情報の送信と共に所定のサービスへの参加要求を受け付け、この参加要求に応じて送信された識別情報がユーザ情報記憶手段内の情報に基づいて招待権限を有するユーザ端末のものであると判断された場合に、他のユーザ端末に対して所定のサービスへの参加を許可する参加判断手段と、を備えた、という構成を採っている。
【００２２】
そして、本発明では、招待権限を有するユーザ端末から他のユーザ端末への招待権限付与要求を受け付けて、当該他のユーザ端末に招待権限を付与するようユーザ情報記憶手段内の情報を更新する招待権限付与手段を備えた、という構成を採る。
【００２３】
また、本発明の他の形態であるプログラムは、ユーザ端末を登録して所定のサービスを提供するサービス提供手段と、所定のサービスに対して登録しているユーザ端末の識別情報及び当該ユーザ端末の招待権限の有無を表す招待権限情報を記憶するユーザ情報記憶手段と、を備えた管理サーバに、管理サーバに登録されているユーザ端末から当該ユーザ端末の識別情報を取得した他のユーザ端末から、当該識別情報の送信と共に所定のサービスへの参加要求を受け付け、この参加要求に応じて送信された識別情報がユーザ情報記憶手段内の情報に基づいて招待権限を有するユーザ端末のものであると判断された場合に、他のユーザ端末に対して所定のサービスへの参加を許可する参加判断手段、を実現させる、という構成を採っている。
【００２４】
そして、本発明では、上記管理サーバに、招待権限を有するユーザ端末から他のユーザ端末への招待権限付与要求を受け付けて、当該他のユーザ端末に招待権限を付与するようユーザ情報記憶手段内の情報を更新する招待権限付与手段、をさらに実現させる、という構成を採る。
【００２５】
また、本発明の他の形態は、ユーザ端末を登録して所定のサービスを提供する管理サーバと、当該管理サーバに登録され所定のサービスの提供を受ける招待者端末と、所定のサービスに参加を希望する参加者端末と、を備え、参加者端末を所定のサービスに参加させるサービス参加方法であって、招待者端末が、参加者端末からの通信アクセスに応じて招待者端末を識別する識別情報を参加者端末に送信する招待工程と、参加者端末が、招待者端末から受信した識別情報を管理サーバに対して送信して所定のサービスへの参加要求を行う参加要求工程と、管理サーバが、予め記憶した所定のサービスに対して登録しているユーザ端末の識別情報及び当該ユーザ端末の招待権限の有無を表す招待権限情報に基づいて、参加者端末からの所定のサービスへの参加要求に応じて送信された招待者端末の識別情報が招待権限を有するユーザ端末のものであると判断した場合に、参加者端末の所定のサービスへの参加を許可するサービス参加工程と、を有する、という構成を採っている。
【００２６】
そして、本発明では、上記招待工程は、招待者端末が記憶している招待権限を有するか否かを表す招待権限情報に基づいて招待権限を有すると判断された場合に作動する、という構成を採る。また、本発明では、サービス参加工程の後に、招待者端末が管理サーバに対して参加者端末に対する招待権限付与を要求する招待権限付与要求工程と、管理サーバが招待者端末からの招待権限付与要求に応じて参加者端末に招待権限を付与するようユーザ情報記憶手段内の情報を更新する招待権限付与工程と、を有する、という構成を採る。
【００２７】
上述した構成のユーザ端末、管理サーバ、プログラム、方法の発明であっても、上述したサービス参加システムと同様に作用するため、上記本発明の目的を達成することができる。以下、本発明の具体的な構成及び動作の一例を、実施例にて説明する。
【実施例１】
【００２８】
本発明の第１の実施例を、図１乃至図１２を参照して説明する。図１は、サービス参加システムの全体構成を示すブロック図である。図２は、ユーザ端末の構成を示すブロック図であり、図３は、その詳細を示す機能ブロック図である。図４は、管理サーバの構成を示すブロック図である。図５は、ユーザ端末に記憶されているデータの一例を示す図であり、図６は、管理サーバに記憶されているデータの一例を示す図である。図７乃至図８は、システムの動作を示す説明図、図９乃至図１０はフローチャート、図１１乃至図１２はシーケンス図である。
【００２９】
［構成］
本実施例におけるサービス参加システムは、上述したように、会員制・招待制のコミュニティサービスに、携帯電話を操作するユーザが参加するシステムである。そして、このシステムは、図１に示すように、コミュニティサービスを提供する管理サーバ３と、ネットワークＮを介して接続可能な携帯電話であるユーザ端末Ａ（１）、ユーザ端末Ｂ（２）と、を備えている。なお、ユーザ端末の数はこれに限定されない。以下、各構成について詳述する。
【００３０】
ユーザ端末Ａ（１）は、ユーザＡが所持する携帯電話、ＰＨＳ、ＰＤＡ、パーソナルコンピュータ、ポケットコンピュータなど、データ通信が可能な情報処理端末である。具体的には、図２に示すように、FeliCa（登録商標）などに代表される非接触通信（RFID）、赤外線通信、BlueTooth、音声、直接接続などを含む、近距離無線通信手段である端末間通信部１１を備えている。また、LAN、無線LAN、BlueTooth、パケット通信や音声通信によるインターネット接続などを行うネットワーク通信部１２を備えている。また、操作内容を入力するためのキーボードなど操作部であるユーザインタフェース部１３、端末自体の動作を制御する制御部１４、この制御部１４に読み込まれて実行されるアプリケーションである情報管理アプリケーション１５、を備えている。また、ユーザ端末を識別する電話番号や個体製造番号、電子メールアドレスなどの端末識別ＩＤ１６を記憶しており、さらに、ユーザ端末によるサービスの利用状況や招待権限の有無などの情報を格納するデータ格納領域１７を備えている。なお、ユーザ端末Ｂ（２）の構成も図２に示すユーザ端末Ａ（１）と同様である。
【００３１】
そして、上記情報管理アプリケーション１５の構成を図３に示す。この図に示すように、情報管理アプリケーション１５は、各ユーザ端末Ａ，Ｂに組み込まれることによって、当該各端末内に、自端末判定処理部１５ａ，２５ａと、相手端末判定処理部１５ｂ，２５ｂと、招待処理部１５ｃ，２５ｃと、参加要求処理部１５ｄ，２５ｄと、を構築している。以下、各処理部について説明する。なお、以下では、ユーザ端末Ａ（１）は、既に管理サーバ３に登録されており、当該管理サーバ３によるサービスの提供を受けることが可能である。このとき、ユーザ端末Ａ（１）は、他のユーザ端末をサービスに招待する権限を有する（招待者端末）。また、ユーザ端末Ｂ（２）は、これからサービスへの参加を希望する端末である（参加者端末）。
【００３２】
まず、各ユーザ端末Ａ，Ｂのデータ格納領域１７，２７には、管理サーバ３が提供するサービスに対する状況を表す情報が記憶されている。その具体例を図５に示す。この図に示すように、まず、端末がサービスに参加しているかどうかを表す項目「会員か（Member）」があり、参加している場合には、状態として「Yes」が記憶され、ユーザ端末Ａ（１）を操作するユーザＡのIDが記憶される。また、端末がサービスに参加できるかどうかを表す項目「招待されているか（Join）」があり、参加できる（招待されている）場合には、状態として「Yes」が記憶され、招待者のIDが格納される。さらに、他のユーザにサービスを招待できるかを表す項目「他者を招待できるか（Intro）」があり、招待できる場合には、状態として「Yes」が記憶される。
【００３３】
例えば、図７に示すように、ユーザＡのユーザ端末Ａ（１）のデータ格納領域１７には、既に招待されサービスに参加しているので、「Member：Yes（ユーザＡのID）」、「Join：Yes（ユーザＸのＩＤ）」が記憶され、さらに、招待権限があるため、「Intro：Yes」が記憶されている。一方、ユーザＢのユーザ端末Ｂ（２）には、いずれの項目も「No」が記憶されている。なお、ユーザＡのＩＤはユーザ端末Ａ（１）を識別する識別情報でもある。また、「Intro」は、ユーザ端末の招待権限の有無を表す招待権限情報である。なお、「Intro」には、招待回数（招待人数）が設定されていてもよい。かかる場合には、後述するように、招待処理を実行する毎に、招待回数が減っていき、その数が「０」になると、招待できなくなる。
【００３４】
そして、自端末判定処理部１５ａは、他のユーザ端末の招待処理になると、まず、自端末のデータ格納領域１７内を調べ、サービスへの参加状況を調べる。また、相手端末判定処理部１５ｂは、他のユーザ端末の招待処理になると、招待しようとする他のユーザ端末のサービスへの参加状況を調べる。そして、招待処理部１５ｃ（招待者識別情報送信手段）は、招待する他のユーザ端末（ユーザ端末Ｂ（２））に対して、自己の識別情報である端末固有ＩＤ１６あるいはデータ格納領域内の「Member」の値であるユーザＡのＩＤをユーザ端末に送信して、サービスに招待する。このとき、招待処理部１５ｃは、ユーザ端末Ａ（１）が「Intro：Yes」であり、招待権限を有している場合に作動可能である。また、招待処理部１５ｃは、端末間通信部１１を介して、近距離無線通信にて招待するユーザ端末Ｂ（２）に対して送信する。つまり、両ユーザ端末Ａ，Ｂは、互いに近距離に位置する場合に招待が行われる。
【００３５】
一方、ユーザ端末Ｂ（２）側の招待処理部２５ｃは、招待側であるユーザ端末Ａ（１）から送信されたユーザＡのＩＤといった識別情報を取得して、データ格納領域２７内の参加状況、つまり、「Join：Yes（ユーザＡのＩＤ）」に書き換える（図７参照）。これにより、ユーザ端末Ｂ（２）は招待されている状態となる。そして、ユーザ端末Ｂ（２）の参加要求処理部２５ｄ（参加要求手段）は、上記招待時に取得したユーザＡのＩＤやユーザ端末Ａの端末固有ＩＤを管理サーバ３に送信して、当該管理サーバ３にサービスへの参加要求を行う。また、参加要求処理部２５ｄは、管理サーバ３にてサービスへの参加を許可されると、データ格納領域２７内の参加状況、つまり、「Member：Yes（ユーザＢのＩＤ）」に書き換える（図８参照）。
【００３６】
次に、管理サーバ３について説明する。管理サーバ３は、一般的なサーバコンピュータであり、上述したように、ネットワーク上でユーザ端末に対してコミュニティサービスを提供している。具体的な構成を図４に示す。この図に示すように、ユーザ端末１，２と通信するためのネットワーク通信部３１と、サーバ全体の動作を制御する制御部３２と、サービスを提供するためのサーバアプリケーション３３と、サービスを提供するユーザの情報を管理するＩＤデータベース３４と、を備えている。そして、サーバアプリケーション３３は、管理サーバ３に組み込まれることによって、サービス参加処理部３３ａと、サービス提供処理部３３ｂと、を構築している。
【００３７】
そして、サービス提供処理部３３ｂは、ＩＤデータベース３４に登録したユーザ端末に対して、コミュニティなどのサービスを提供する処理部（サービス提供手段）である。また、サービス参加処理部３３ａ（参加判断手段）は、上述したように、ユーザ端末Ｂ（２）から参加要求があった場合に、当該ユーザ端末Ｂ（２）から送信された招待者の識別情報、ここでは、ユーザＡのＩＤを受け付けて、このユーザがサービスに参加しており、かつ、招待権限を有するかを、ＩＤデータベース３４内から調べる。
【００３８】
ここで、図６にＩＤデータベース３４の詳細を示す。この図に示すように、ＩＤデータベース３４（ユーザ情報記憶手段）には、サービスに参加可能な登録しているユーザの情報がユーザ毎に記憶されており、ユーザＩＤと、サービス参加時の招待者ＩＤと、招待権限の有無、ユーザ端末のＩＤ、が記憶されている。なお、ユーザＩＤとユーザ端末のＩＤは、ユーザ端末の識別情報として扱われる。そして、サービス参加処理部３３ｂは、ＩＤデータベース３４内のユーザＩＤあるいはユーザ端末のＩＤの中に、ユーザ端末Ｂから送信された招待者情報であるユーザＡのＩＤあるいはユーザ端末ＡのＩＤが記憶されているか否かを調べ、そのユーザの招待権限が「Ｙｅｓ」であるか否かを調べる。そして、招待者であるユーザＡの情報が既に登録されており、招待権限を有している場合には、参加要求してきたユーザ端末Ｂの参加を許可し、ＩＤデータベース３４にユーザ端末Ｂの情報を登録する。なお、この時点では、新たに登録されたユーザ端末Ｂの招待権限は無しとして登録される。
【００３９】
［動作］
次に、上記構成のシステムの動作を、図７乃至図１２を参照して説明する。まずはじめに、既に管理サーバ３に登録され、当該管理サーバ３にて提供されるサービスの利用者であるユーザＡが、ユーザＢを新規にサービスに招待する場合の動作を、図７、図９、図１１を参照して説明する（招待工程）。
【００４０】
なお、事前に、各ユーザＡ，Ｂの端末Ａ，Ｂには、サービスの参加状態を管理するための情報管理アプリケーションが搭載されている。この情報管理アプリケーションは、例えば、携帯端末に初期状態で搭載する、インターネット経由でダウンロードする、端末間の通信機能を経由する、などの手段によって各端末Ａ，Ｂにインストールされる。
【００４１】
まず、ユーザＡは、ユーザ端末Ａ（１）にてすでに管理サーバ３が提供する会員制サービスに登録している。そして、ユーザＡは、まだ同サービスに登録していないユーザ端末Ｂ（２）を持つユーザＢに対して、サービスに招待すべく、ユーザ端末Ａ（１）およびユーザ端末Ｂ（２）の端末間通信部１１等を通して、近距離無線通信を開始する（図７の矢印Ｙ１、図９のステップＳ１、図１１のステップＳ３１，Ｓ３２）。すると、ユーザ端末Ａ（１）は、自身のデータ格納領域１７の情報に基づいて、ユーザＡがサービスに登録しているか否かをチェックする（図９のステップＳ２、図１１のステップＳ３３）。登録していなければ（図９のステップＳ２でＮｏ）、ユーザ端末Ａ（１）とユーザ端末Ｂ（２）との通信は終了する（図９のステップＳ７）。
【００４２】
続いて、ユーザ端末Ａ（１）は、ユーザＡがサービスに登録している場合に（図９のステップＳ２でＹｅｓ）、ユーザ端末Ａ（１）のデータ格納領域１７から、ユーザＡがサービスの招待権限を所有しているかをチェックする（図９のステップＳ３、図１１のステップＳ３３）。招待権限を有していなければ（図９のステップＳ３でＮｏ）、ユーザ端末Ａ（１）とユーザ端末Ｂ（２）との通信は終了する（図９のステップＳ７）。
【００４３】
続いて、ユーザ端末Ａ（１）は、ユーザＡが招待権限を所有している場合に（図９のステップＳ３でＹｅｓ）、ユーザ端末Ｂ（２）のデータ格納領域２７から、ユーザＢがサービスに登録しているかをチェックする（図９のステップＳ４、図１１のステップＳ３４）。既に登録しているのであれば（図９のステップＳ４でＹｅｓ）、ユーザ端末Ａ（１）とユーザ端末Ｂ（２）との通信は終了する（図９のステップＳ７）。
【００４４】
続いて、ユーザ端末Ａ（１）は、ユーザＢがサービスに登録していない場合（図９のステップＳ４でＮｏ）、ユーザ端末Ｂ（２）のデータ格納領域２７から、ユーザＢがサービス登録の招待を既に受けていないかをチェックする（図９のステップＳ５、図１１のステップＳ３４）。既に招待されている場合（図９のステップＳ５でＹｅｓ）、ユーザ端末Ａ（１）とユーザ端末Ｂ（２）との通信は終了する（図９のステップＳ７。
【００４５】
続いて、ユーザ端末Ａ（１）は、ユーザＢがサービスの登録の招待を受けていない場合には（図９のステップＳ５でＮｏ）、ユーザ端末Ａ（１）が自己の端末固有ＩＤあるいはユーザＡのＩＤ、つまり、ユーザ端末Ａの識別情報をユーザ端末Ｂ（２）に送信して（図１１のステップＳ３５）、ユーザ端末Ｂ（２）をサービスに招待する。これを受けたユーザ端末Ｂ（２）は、ユーザ端末Ａの識別情報を自己のデータ格納領域２７に記録する（図９のステップＳ６、図１１のステップＳ３６）。これにより、図７に示すように、ユーザ端末Ｂ（２）の「Join」が「Yes（ユーザＡのＩＤあるいはユーザ端末ＡのＩＤ）」となる。その後、ユーザ端末Ａ（１）とユーザ端末Ｂ（２）との通信が終了する（図９のステップＳ７）。以上で、ユーザ端末Ｂ（２）は、ユーザ端末Ａ（１）からサービスに招待された状態となる。
【００４６】
次に、ユーザＡからサービス登録の招待を受けたユーザＢが、新規にサービス登録を申請する場合の動作を、図８、図１０、図１２を参照して説明する（参加要求工程、サービス参加工程）。
【００４７】
まず、ユーザＡから招待を受けたユーザＢは、ユーザ端末Ｂ（２）のネットワーク通信部を通じ、管理サーバ３と通信を開始し（図８の矢印Ｙ２、図１０のステップＳ１１）、サービス参加要求を行う（図１２のステップＳ４１、参加要求工程）。すると、管理サーバ３は、まず、ユーザ端末Ｂ（２）のデータ格納領域２７から、ユーザＢがサービスに登録しているかをチェックする（図１０のステップＳ１２、図１２のステップＳ４２）。すでに登録していれば（図１０のステップＳ１２でＹｅｓ）、ユーザ端末Ｂ（２）と管理サーバ３との通信は終了する（図１０のステップＳ２１）。
【００４８】
続いて、管理サーバ３は、ユーザＢがサービスに登録していない場合（図１０のステップＳ１２でＮｏ）、ユーザ端末Ｂ（２）のデータ格納領域２７から、ユーザ端末Ｂ（２）がサービス登録の招待を受けているかをチェックする（図１０のステップＳ１３、図１２のステップＳ４２）。招待を受けていない場合（図１０のステップＳ１３でＮｏ）、ユーザ端末Ｂ（２）と管理サーバ３との通信は終了する（図１０のステップＳ２１）。
【００４９】
続いて、管理サーバ３は、ユーザＢが招待を受けている場合（図１０のステップＳ１３でＹｅｓ）、ユーザ端末Ｂ（２）のデータ格納領域２７に記録された招待者であるユーザＡのユーザＩＤを取得して、当該管理サーバ３はＩＤデータベース３４に登録された正規のＩＤであるかをチェックする（図１０のステップＳ１４、図１２のステップＳ４２）。正規のＩＤとして登録されていない場合（図１０のステップＳ１４でＮｏ）、ユーザ端末Ｂ（２）のデータ格納領域２７に記録された招待者であるユーザＡのＩＤを消去し（Join：No）、当該ユーザ端末Ｂ（２）を招待を受けていない状態に変更する（図１０のステップＳ１９）。そして、管理サーバ３は、ユーザ端末Ａ（１）およびユーザ端末Ｂ（２）に対して、正規の登録および招待がおこなわれていない旨のアラートを送信し（図１０のステップＳ２０）、ユーザ端末Ｂ（２）と管理サーバ３との通信は終了する（図１０のステップＳ２１）。
【００５０】
続いて、管理サーバ３は、ユーザＢを招待したユーザＡのＩＤが正規のものである場合（図１０のステップＳ１４でＹｅｓ）、管理サーバＢはユーザ端末Ｂ（２）に対して端末固有ＩＤを要求し（図１２のステップＳ４３）、これに応じて、ユーザ端末Ｂ（２）は端末固有ＩＤを管理サーバ３に送信する（図１０のステップＳ１５、図１２のステップＳ４４）。すると、管理サーバ３は、ユーザ端末Ｂ（２）から受信した端末固有ＩＤに紐付けて、ユーザＢのユニークなユーザＩＤを発行する（図１０のステップ１６、図１２のステップＳ４５）。そして、管理サーバ３は、発行されたユーザＢのユーザＩＤおよび招待者であるユーザＡのユーザＩＤ、ユーザ端末Ｂ（２）から受信した端末固有ＩＤをＩＤデータベース３４に登録する（図１０のステップＳ１７、図１２のステップＳ４６）。その後、管理サーバ３は、ユーザ端末Ｂ（２）に、発行されたユーザＢのユーザＩＤを送信する（図１２のステップＳ４７）。これを受けたユーザ端末Ｂ（２）は、データ格納領域２７に発行されたユーザＩＤを格納し、サービス会員に登録されたと記録し（図１０のステップＳ１８、図１２のステップＳ４８）、ユーザ端末Ｂ（２）と管理サーバ３との通信を終了させる（図１０のステップＳ２１、サービス参加工程）。
【００５１】
これにより、ユーザＡからサービスの招待を受けたユーザＢが、新規にサービスに登録される。その結果、ユーザＢは、ユーザ端末Ｂ（２）を利用して、管理サーバ３が提供するサービスを受けることができる。
【００５２】
以上により、本実施例によると、正当に招待権限を有する招待者から直接招待されたユーザのみがサービスに参加することができるため、いたずらに参加者が増加することを抑制し、サービス参加者の質が高まり、セキュリティ性の向上を図ることができる。また、招待者は自己の端末を利用して参加者に対して識別情報を送信することで招待することができるため、必ずしも管理サーバ３への通信が必要ではなく、操作が容易であり、利用者の利便性の向上を図ることができる。
【実施例２】
【００５３】
次に、本発明の第２の実施例を、図１３乃至図１７を参照して説明する。図１３はユーザ端末の構成を示すブロック図であり、図１４は管理サーバの構成を示すブロック図である。図１５はシステムの動作を示す説明図、図１６はフローチャート、図１７はシーケンス図である。
【００５４】
［構成］
本実施例におけるサービス参加システムは、上記実施例１で説明したものとほぼ同様の構成を採っており、さらに、招待権限を他のユーザに付与する構成を備えている。具体的には、まず、ユーザ端末Ａ（１），Ｂ（２）の情報管理アプリケーション１５，２５にて、端末内に招待権限処理部１５ｅ，２５ｅが構築されている。この招待権限処理部１５ｅ，２５ｅ（招待権限付与要求手段、招待権限情報記憶手段）は、まず、招待権限を有するユーザ端末Ａ（１）で作動する場合には、管理サーバ３にアクセスし、上述したようにサービスに招待したユーザ端末Ｂ（２）に招待権限を付与するよう要求する。また、ユーザ端末Ｂ（２）で作動する場合には、管理サーバ３にて招待権限が付与された旨の通知を受けると、自身のデータ格納領域１７内の招待権限情報を招待権限有りに更新する（「Intro：Yes」）。
【００５５】
また、本実施例における管理サーバ３には、サーバアプリケーション３３により、図１４に示すように、新たに招待権限付与処理部３３ｃが構築されている。この招待権限付与処理部３３ｃ（招待権限付与手段）は、招待権限を有するユーザ端末Ａ（１）からの要求により、他のユーザ端末Ｂ（２）に招待権限を付与するよりを行う。具体的には、招待権限を付与するユーザ端末Ｂ（２）のＩＤデータベース３４を更新して、かかるユーザＢの招待権限を有りに設定する。そして、ユーザ端末Ｂ（２）内の招待権限情報が有りに設定されるよう、当該ユーザ端末Ｂに通知する。
【００５６】
なお、ここでは、招待権限の付与を管理サーバ３を介して行う場合を例示したが、招待権限を有するユーザ端末Ａ（１）が、招待権限を有しないユーザ端末Ｂ（２）に直接アクセスして、招待権限を付与してもよい。
【００５７】
［動作］
次に、ユーザＡがサービスに招待したユーザＢに対して、ユーザＡが招待権限を付与する場合の動作を説明する。まず、実施例１で説明したように、ユーザＢを招待したユーザＡは、ユーザ端末Ａ（１）のネットワーク通信部を通じ、管理サーバ３と通信を開始し（図１５の矢印Ｙ３、図１６のステップＳ５１）、招待権限付与の要求を行う（図１７のステップＳ６１、招待権限付与要求工程）。すると、管理サーバ３は、ユーザＡのユーザＩＤが管理サーバ３の保持するＩＤデータベース３４に登録された正規のユーザであるかをチェックする（図１６のステップＳ５２、図１７のステップＳ６２）。正規のユーザＩＤを持っていない、もしくはユーザ登録されていない場合（図１６のステップＳ５２でＮｏ）、ユーザ端末Ａ（１）と管理サーバ３との通信は終了する（図１６のステップＳ５８）。
【００５８】
続いて、管理サーバ３は、ユーザＡがサービスの正規のユーザである場合（図１６のステップＳ５２でＹｅｓ）、管理サーバ３のＩＤデータベース３４から、ユーザＡが招待したユーザの一覧を取得する（図１６のステップＳ５３、図１７のステップＳ６３）。そして、招待をしたユーザがいない、もしくは取得したユーザの一覧にユーザＡがまだ招待権限を承認していないユーザがいるかをチェックする（図１６のステップＳ５４）。承認していないユーザがいない場合（図１６のステップＳ５４でＮｏ）、ユーザ端末Ａ（１）と管理サーバ３との通信は終了する（図１６のステップＳ５８）。
【００５９】
続いて、管理サーバ３は、ユーザＡが招待をしたユーザが存在し、まだ招待権限を承認していないユーザ（ユーザＢ）がいる場合（図１６のステップＳ５４でＹｅｓ）、まだ招待権限を承認していないユーザの一覧をユーザ端末Ａ（１）に送信する（図１６のステップＳ５５、図１７のステップＳ６４）。ユーザＡは、ユーザ端末Ａ（１）に一覧を表示し（図１７のステップＳ５５、図１７のステップ６５）、ユーザインタフェース装置を通し、招待権限を承認するユーザ（ユーザＢ）を選択し、管理サーバ３に送信する（図１６のステップＳ５６、図１７のステップＳ６６）。
【００６０】
すると、管理サーバ３は、ユーザＢに招待権限を付与するようＩＤデータベース３４を更新し（図１６のステップＳ５７、図１７のステップＳ６７）、ユーザＢのユーザ端末Ｂ（２）に通知する（図１５の矢印Ｙ４、図１７のステップＳ６８）。これを受けたユーザ端末Ｂ（２）は、データ格納領域２７内の招待権限情報を有りと設定する（Intro：Yes）（図１５参照、図１６のステップＳ５７、図１７のステップＳ６９、招待権限付与工程）。その後、ユーザ端末Ａ（１）と管理サーバ（３）との通信を終了させる（図１６のステップＳ５８）。
【００６１】
以上により、招待権限を有するユーザ端末Ａ（１）は、他のユーザにも招待権限を付与することができ、その後は、招待権限を付与されたユーザ端末Ｂ（２）が、さらに他のユーザをサービスに招待することが可能となる。従って、上述したように、サービスへの招待者を制限してセキュリティを保ちつつ、招待権限を広げることもできるため、利便性が向上しうる。
【産業上の利用可能性】
【００６２】
本発明におけるシステムは、会員制・招待制のサービス・システムやコミュニティ、小売業、サービス業、ネットワークサービス業、クーポンやチケットの配信・配布、広告効果測定や広告代行手数料（アフィリエイトフィー）支払いシステム、といったユーザが参加するシステムに利用可能である。
【図面の簡単な説明】
【００６３】
【図１】実施例１におけるサービス参加システムの全体構成を示す機能ブロック図である。
【図２】図１に開示したユーザ端末の構成を示すブロック図である。
【図３】図２に開示したユーザ端末の詳細を示す機能ブロック図である。
【図４】図１に開示した管理サーバの構成を示すブロック図である。
【図５】図２に開示したデータ格納領域に格納されているデータの一例を示す図である。
【図６】図４に開示したＩＤデータベースに格納されているデータの一例を示す図である。
【図７】実施例１におけるシステムの動作を示す説明図である。
【図８】実施例１におけるシステムの動作を示す説明図である。
【図９】実施例１におけるシステムの動作を示すフローチャートである。
【図１０】実施例１におけるシステムの動作を示すフローチャートである。
【図１１】実施例１におけるシステムの動作を示すシーケンス図である。
【図１２】実施例１におけるシステムの動作を示すシーケンス図である。
【図１３】実施例２におけるユーザ端末の構成の詳細を示す機能ブロック図である。
【図１４】実施例２における管理サーバの構成を示すブロック図である。
【図１５】実施例２におけるシステムの動作を示す説明図である。
【図１６】実施例２におけるシステムの動作を示すフローチャートである。
【図１７】実施例２におけるシステムの動作を示すシーケンス図である。
【符号の説明】
【００６４】
１  ユーザ端末Ａ
２  ユーザ端末Ｂ
３  管理サーバ
１１  端末間通信部
１２  ネットワーク通信部
１３  ユーザインタフェース装置
１４  制御部
１５，２５  情報管理アプリケーション
１５ａ，２５ａ  自端末判定処理部
１５ｂ，２５ｂ  相手端末判定処理部
１５ｃ，２５ｃ  招待処理部
１５ｄ，２５ｄ  参加要求処理部
１５ｅ，２５ｅ  招待権限処理部
１６，２６  端末固有ＩＤ
１７，２７  データ格納領域
３１  ネットワーク通信部
３２  制御部
３３  サーバアプリケーション
３３ａ  サービス参加処理部
３３ｂ  サービス提供処理部
３３ｃ  招待権限付与処理部
３４  ＩＤデータベース
Ａ，Ｂ  ユーザ
Ｎ  ネットワーク
【図１】
2009037435.tif 000003
【図２】
2009037435.tif 000004
【図３】
2009037435.tif 000005
【図４】
2009037435.tif 000006
【図５】
2009037435.tif 000007
【図６】
2009037435.tif 000008
【図７】
2009037435.tif 000009
【図８】
2009037435.tif 000010
【図９】
2009037435.tif 000011
【図１０】
2009037435.tif 000012
【図１１】
2009037435.tif 000013
【図１２】
2009037435.tif 000014
【図１３】
2009037435.tif 000015
【図１４】
2009037435.tif 000016
【図１５】
2009037435.tif 000017
【図１６】
2009037435.tif 000018
【図１７】
2009037435.tif 000019